(57)【要約】【課題】  ファンの排気性能を発揮させることが可能になり、また、気流速度を減速させて騒音を低減することが可能な構造の画像形成装置を提供する。【解決手段】  断面が矩形の排気ダクト５の内部に排気ファン１１を配置し、また機外への排気面を外装カバー１２で覆い、外装カバー１２に形成した排気口１３には安全対策のためのルーバ１４を設ける。排気ファン１１の排気出側部位とルーバ１４の入側部位との距離を、排気ファン１１の一辺の長さａの半分以上の距離とする。また、その距離の間で徐々に排気ダクト５の流路径を広げ、断面積を大きくする。排気ファン１１は、羽を回転させて送風するため、空気を吐き出すとき、気流は回転しながら広がっていくため、気流の乱れを抑えるためにもファンの出口直後からダクト形状が広がっていくことを必要とする。【選択図】        図２
2006064896.tif 000002
【特許請求の範囲】
【請求項１】
内部の空気を機外へ排出する排気ダクトにファンを備え、機外への排気口にルーバを備える機器の排気構造において、前記排気口と前記ルーバとの距離が前記ファンの一辺長の半分以上の距離を有し、該距離の間で徐々に前記ダクトの流路断面積が大きくなっていることを特徴とする機器の排気構造。
【請求項２】
請求項１の機器の排気構造において、前記ダクトの流路断面形状が円形であることを特徴とする機器の排気構造。
【請求項３】
請求項１または２の機器の排気構造において、有害物質除去フィルタを前記ファンと前記ルーバとの間で前記ルーバに近い側に配置したことを特徴とする機器の排気構造。
【請求項４】
装置本体内の空気を機外へ排出する排気ダクトにファンを備え、機外への排気口にルーバを備える画像形成装置において、前記排気口と前記ルーバとの距離が前記ファンの一辺長の半分以上の距離を有し、該距離の間で徐々に前記ダクトの流路断面積が大きくなっていることを特徴とする画像形成装置。
【請求項５】
請求項４の画像形成装置において、前記ダクトの流路断面形状が円形であることを特徴とする画像形成装置。
【請求項６】
請求項４または５の画像形成装置において、有害物質除去フィルタを前記ファンと前記ルーバとの間で前記ルーバに近い側に配置したことを特徴とする画像形成装置。
【請求項７】
請求項４ないし６のいずれかの画像形成装置において、装置の待機時は前記ファンの回転数を低くする制御手段を備えたことを特徴とする画像形成装置。
【発明の詳細な説明】
【技術分野】
【０００１】
本発明は、複写機、プリンタなどの画像形成装置のように、排気のためのダクトを有する機器の排気構造に関し、詳細には低騒音化に関する。
【背景技術】
【０００２】
近年、複写機等の画像形成装置の高速化に伴い、装置内部の熱量が増加し、また、オゾンなど有害物質の発生量も増加している。そのため装置内部から機外へ排出する排気ファンも高速化している。
【０００３】
画像形成装置内部の排気手段としては、装置内部に排気ダクトを設け、排気ダクト内部に排気ファンを配置しているものが多い。また、機外への排気面を外装カバーで覆い、排気口には安全上ルーバを備えたものが用いられている。
【特許文献１】特開平９−０５４５２７号公報
【特許文献２】特開２００３−２０２７９４号公報
【特許文献３】特開平１０−３４００３７号公報
【特許文献４】特開平９−１６０４５０号公報
【発明の開示】
【発明が解決しようとする課題】
【０００４】
上述のようにファンを備える排気ダクトにおいては、ファンから排気口までのダクト流路断面形状がファンの断面形状のままであるものが多いが、機内スペース等の制約上から断面形状が小さくなりがちである。しかし、ファンはその構造上、空気を吐き出すときに気流が回転しながら広がっていく。そのためファンから排気口までのダクト流路断面形状が一定の場合、特に断面形状が小さくなる場合には、機外に排気する風速が速くなる。機外に排気される気流速度が速くなると機外への排気口なる外装カバーのルーバ部での風きり音等が大きくなり、騒音が問題になる。
【０００５】
本発明は、上述した従来の問題点にかんがみ、排気口での風速を減速させることで、機器の排気構造あるいはこれを用いた画像形成装置の低騒音化を図ることを目的とする。
【課題を解決するための手段】
【０００６】
本発明の請求項１に係る機器の排気構造は、内部の空気を機外へ排出する排気ダクトにファンを備え、機外への排気口にルーバを備える機器の排気構造において、前記排気口と前記ルーバとの距離が前記ファンの一辺長の半分以上の距離を有し、該距離の間で徐々に前記ダクトの流路断面積が大きくなっていることを特徴とする。
【０００７】
同請求項２に係るものは、請求項１の機器の排気構造において、前記ダクトの流路断面形状が円形であることを特徴とする。
【０００８】
同請求項３に係るものは、請求項１または２の機器の排気構造において、有害物質除去フィルタを前記ファンと前記ルーバとの間で前記ルーバに近い側に配置したことを特徴とする。
【０００９】
同請求項４に係る画像形成装置は、装置本体内の空気を機外へ排出する排気ダクトにファンを備え、機外への排気口にルーバを備える画像形成装置において、前記排気口と前記ルーバとの距離が前記ファンの一辺長の半分以上の距離を有し、該距離の間で徐々に前記ダクトの流路断面積が大きくなっていることを特徴とする。
【００１０】
同請求項５に係るものは、請求項４の画像形成装置において、前記ダクトの流路断面形状が円形であることを特徴とする。
【００１１】
同請求項６に係るものは、請求項４または５の画像形成装置において、有害物質除去フィルタを前記ファンと前記ルーバとの間で前記ルーバに近い側に配置したことを特徴とする。
【００１２】
同請求項７に係るものは、請求項４ないし６のいずれかの画像形成装置において、装置の待機時は前記ファンの回転数を低くする制御手段を備えたことを特徴とする。
【発明の効果】
【００１３】
本発明は、ファンの排気性能を発揮させることが可能になり、また、気流速度を減速させて騒音を低減することが可能になる。
【発明を実施するための最良の形態】
【００１４】
以下本発明を実施するための最良の形態を、図に示す実施例を参照して説明する。
【実施例１】
【００１５】
図１は本発明の実施対象となる画像形成装置のケーシング等の一部を省略した全体構造を示す斜視図である。図示の画像形成装置は、現像器、感光体等からなる作像部１、給紙カセット等からなる給紙部２、定着部３、排紙部４、排気ダクト５、両面ユニット６、トナーカートリッジ７等からなる。そして、給紙部２から給紙された紙等の転写材に、作像部１でカラー画像等を転写し、定着部３を通して画像を転写材に定着させ、排紙口から排紙部４へ転写材を排紙する。
【００１６】
図示は省略するが、カラー画像は４つの感光体で形成し、転写ベルトに転写し、再度フルカラー画像として転写紙に転写する。このようなカラー画像形成装置の構成、動作は一般的に公知であるため、詳細な説明は省略する。なお、カラー画像形成装置の例を示しているが、本発明は白黒機でももちろん実施可能である。
【００１７】
図２は本発明に係る機器の排気構造の要部であるダクト部の拡大図、また図３は斜視図である。本実施例は、断面が矩形の排気ダクト５の内部に排気ファン１１を配置し、また機外への排気面を外装カバー１２で覆い、外装カバー１２に形成した排気口１３には安全対策のためのルーバ１４を設けてある。
【００１８】
そして本実施例では、図示のように、排気ファン１１の排気出側部位とルーバ１４の入側部位（以下、排気部５ａという）との距離を、排気ファン１１の一辺の長さａの半分以上の距離としてある。また、その距離の間で徐々に排気部５ａの流路径を広げている（断面積が大きくする）。このことで、排気ファン１１の排気性能を発揮させることができ、排気口での風速を遅くすることができ、騒音を低減することが可能になる。すなわち、図示のタイプの排気ファン１１は、その構造上、羽を回転させて送風するため、空気を吐き出すとき、気流は回転しながら広がっていく。そのため、気流の乱れを抑えるためにも排気ファン１１の出口直後から排気ダクト５の排気部５ａの形状が広がっていくことを必要とするのである。
【実施例２】
【００１９】
図４は本発明に係る機器の排気構造の実施例２を示す斜視図である。この実施例は、排気部５ａの断面形状を円形にしてある。すなわち排気ダクト５は、図示のように、排気ファン１１の排気出側部位から機外への外装カバー１２に形成した排気口１３までの間の排気部５ａの断面形状を円形とし、かつ排気口１３へ向けて徐々に広げていくことで、気流の乱れを減少させ、より一層の騒音低減を図っている。
【実施例３】
【００２０】
図５は本発明に係る機器の排気構造の実施例２を示す斜視図である。この実施例は、排気ダクト５の排気部５ａ内に有害物質フィルタ１５を備えている。昨今、画像形成装置から排出される有害物質が問題視されているが、図示のように排気ファン１１と排気口１３の間に位置する排気部５ａ内に有害物質除去フィルタ１５を備え、かつ有害物質除去フィルタ１５の配置位置をルーバ１４の入側部位に近づけて配置すること、有害物質除去フィルタ１５を通る気流速度を遅くして、より効果的に有害物質を除去できるようにしている。なお図示の例では、有害物質除去フィルタ１５の排気ファン１１側の面から外装カバー１２の内側面までの距離を排気ファン１１の一辺の長さａの１／４以下としてある。
【００２１】
なお以上説明してきた各実施例において、装置の待機時には、排気ファン１１の回転数を低くする制御手段を備えることで、より一層騒音を低減させることができる。
【図面の簡単な説明】
【００２２】
【図１】本発明の実施対象となる画像形成装置のケーシング等の一部を省略した全体構造を示す斜視図
【図２】発明に係る機器の排気構造の要部であるダクト部の拡大図
【図３】同じく斜視図
【図４】本発明に係る機器の排気構造の実施例２を示す斜視図
【図５】本発明に係る機器の排気構造の実施例３を示す斜視図
【符号の説明】
【００２３】
１：作像部
２：給紙部
３：定着部
４：排紙部
５：排気ダクト
５ａ：排気ダクトの排気部
６：両面ユニット
７：トナーカートリッジ
１１：排気ファン
１２：外装カバー
１３：排気口
１４：ルーバ
１５：有害物質フィルタ
ａ：排気ファンの一辺の長さ
【図１】
2006064896.tif 000003
【図２】
2006064896.tif 000004
【図３】
2006064896.tif 000005
【図４】
2006064896.tif 000006
【図５】
2006064896.tif 000007